(57)【要約】【課題】  ＣＤなどの既存ディスク用に既にデジタル化されて媒体に記録されている音楽ソースを有効に利用して２層オーディオディスクを作成する。【解決手段】  ＣＤなどの既存ディスク用に既にデジタル化されているステレオ２チャネルのＰＣＭ信号をハイビット化し、次いでハイサンプリングし、次いで第１の１ビットストリームに変換するとともに、ハイビット化されたステレオ２チャネルのＰＣＭ信号をマルチチャネル化し、次いでハイサンプリングし、次いで第２の１ビットストリームに変換して、前記ステレオ２チャネルのＰＣＭ信号を２層オーディオディスク１００ｃの第１層１０１に記録するとともに、第１、第２の１ビットストリームの両方を２層オーディオディスク１００ｃの第２層１０２に記録する。【選択図】        図１
2004158192.tif 000002
【特許請求の範囲】
【請求項１】
アナログオーディオ信号がＣＤ規格の４４．１ｋＨｚの第１のサンプリング周波数と１６ビットの量子化ビット数でデジタル化されてステレオ２チャネルの第１のオーディオデータにより記録されたＣＤ記録部と、前記アナログオーディオ信号が前記第１のサンプリング周波数より高いサンプリング周波数と１６ビットを超える量子化ビット数とされてステレオ２チャネル又はマルチチャネルの第２のオーディオデータにより記録されたＨＤ記録部とを有する構造を有し前記第１のオーディオデータと第２のオーディオデータがそれぞれ７８０ｎｍと６５０ｎｍの波長のプレーヤにより独立に再生可能なように記録されると共に前記第２のオーディオデータがＤＶＤ基本フォーマットを用いて記録され、前記第２のオーディオデータのサンプリング周波数が選択的に再生可能なように記録されている２層オーディオディスク。
【請求項２】
前記マルチチャネルが複数のマルチチャネル方式により記録され、それらのマルチチャネル方式から選択的に再生可能なように記録されている請求項１に記載の２層オーディオディスク。
【請求項３】
アナログオーディオ信号がＣＤ規格の４４．１ｋＨｚの第１のサンプリング周波数と１６ビットの量子化ビット数でデジタル化されたステレオ２チャネルの第１のオーディオデータをＣＤフォーマットによりＣＤ記録部に記録し、前記アナログオーディオ信号が前記第１のサンプリング周波数より高いサンプリング周波数と１６ビットを超える量子化ビット数とされてステレオ２チャネル又はマルチチャネル化された第２のオーディオデータをＤＶＤフォーマットによりＨＤ記録部に記録する場合に前記第２のオーディオデータのサンプリング周波数が選択可能なように記録する２層オーディオディスクへの記録方法。
【発明の詳細な説明】
【技術分野】
【０００１】
本発明は、２層オーディオディスク及び２層オーディオディスクへのデータ記
録方法に関する。
【背景技術】
【０００２】
近年、ＣＤに代わるオーディオディスクとして、第１層に対してＣＤと同じサ
ンプリング周波数（４４．１ｋＨｚ）、量子化ビット数（１６ビット）のステレ
オ２チャネルのＰＣＭオーディオ信号を記録するとともに、第１層より高密度の
第２層に対して、第１層よりハイサンプリング周波数（例えば４８ｋＨｚ、９６
ｋＨｚ）、ハイ量子化ビット数（例えば２０ビット、２４ビット）のＰＣＭ又は
ＤＳＤ（ダイレクト・ストリーム・デジタル）のステレオ２チャネルやマルチチ
ャネルのオーディオ信号を記録してこの２層を貼り合わせたオーディオディスク
、いわゆるスーパー・オーディオＣＤ（ＳＡＣＤ）が提案されている。
【０００３】
図５は上側のＣＤ層１０１と下側のＨＤ（ハイデンシティ）層１０２を貼り合
わせた２層オーディオディスク１００ｃを示している。ＣＤ層１０１にはステレ
オ２チャネルのＰＣＭオーディオ信号が比較的低密度のピットＰ１で記録され、
ＨＤ層１０２にはＣＤ層１０１よりハイサンプリング周波数、ハイ量子化ビット
数であってステレオ２チャネルやマルチチャネルのオーディオ信号が比較的高密
度のピットＰ２で記録されている。これを再生する場合には、ピットＰ１は波長
λ１＝７８０ｎｍのＣＤプレーヤが再生することができ、ピットＰ２は波長λ２
＝６５０ｎｍの１焦点方式のＤＶＤプレーヤが再生することができ、また、２焦
点方式のＤＶＤプレーヤはピットＰ１、Ｐ２の両方を再生することができる。
【発明の開示】
【発明が解決しようとする課題】
【０００４】
ところで、上記の２層オーディオディスクに対して音楽ソースを記録するため
には、これから録音するアナログ信号や、既存のアナログのマスタテープなどに
録音されているアナログ信号を上記のような第１層１０１用及び第２層１０２用
のデジタル信号に変換する作業が行われる。しかしながら、このような方法では
、既にＣＤなどの既存ディスク用にデジタル化されて媒体に記録されているステ
レオ２チャネルの音楽ソースを有効に利用することができないという問題点があ
る。また、ステレオ２チャネルに限らず、既にデジタル化されているマルチチャ
ネルの音楽ソースを有効に利用することができれば、多くの音楽ソフトを作成す
ることができる。
【０００５】
そこで、本発明は上記の問題点に鑑み、例えばＣＤのような既存のディスク用
に既にデジタル化されて媒体に記録されている音楽ソースを有効に利用して２層
オーディオディスクを作成することができる２層オーディオディスクの記録方法
及びそのディスクを提供することを目的とする。
【課題を解決するための手段】
【０００６】
本発明は上記目的を達成するために、以下の１）〜３）に記載の手段よりなる。
【０００７】
すなわち、  
１）アナログオーディオ信号がＣＤ規格の４４．１ｋＨｚの第１のサンプリング周波数と１６ビットの量子化ビット数でデジタル化されてステレオ２チャネルの第１のオーディオデータにより記録されたＣＤ記録部と、前記アナログオーディオ信号が前記第１のサンプリング周波数より高いサンプリング周波数と１６ビットを超える量子化ビット数とされてステレオ２チャネル又はマルチチャネルの第２のオーディオデータにより記録されたＨＤ記録部とを有する構造を有し前記第１のオーディオデータと第２のオーディオデータがそれぞれ７８０ｎｍと６５０ｎｍの波長のプレーヤにより独立に再生可能なように記録されると共に前記第２のオーディオデータがＤＶＤ基本フォーマットを用いて記録され、前記第２のオーディオデータのサンプリング周波数が選択的に再生可能なように記録されている２層オーディオディスク。
２）前記マルチチャネルが複数のマルチチャネル方式により記録され、それらのマルチチャネル方式から選択的に再生可能なように記録されている請求項１に記載の２層オーディオディスク。
３）アナログオーディオ信号がＣＤ規格の４４．１ｋＨｚの第１のサンプリング周波数と１６ビットの量子化ビット数でデジタル化されたステレオ２チャネルの第１のオーディオデータをＣＤフォーマットによりＣＤ記録部に記録し、前記アナログオーディオ信号が前記第１のサンプリング周波数より高いサンプリング周波数と１６ビットを超える量子化ビット数とされてステレオ２チャネル又はマルチチャネル化された第２のオーディオデータをＤＶＤフォーマットによりＨＤ記録部に記録する場合に前記第２のオーディオデータのサンプリング周波数が選択可能なように記録する２層オーディオディスクへの記録方法。
【発明の効果】
【０００８】
以上説明したように本発明によれば、ＣＤなどの既存ディスク用に既にデジタ
ル化されているステレオ２チャネルのＰＣＭ信号をマルチチャネル化し、さらに
ハイサンプリングして２層オーディオディスクの第２層に記録するようにしたの
で、ＣＤなどの既存ディスク用に既にデジタル化されて媒体に記録されている音
楽ソースを有効に利用して２層オーディオディスクを作成することができる。
【発明を実施するための最良の形態】
【０００９】
以下、図面を参照して本発明の実施の形態を説明する。図１は本発明に係る２
層オーディオディスクの記録方法の一実施形態を説明するためのフローチャート
、図２は図１のマルチチャネル処理（マルチチャネル化ともいう）ステップを詳
しく示すフローチャート、図３は図２のマルチチャネル処理ステップの一例を示
す説明図、図４は本発明に係る２層オーディオディスクの第２層のフォーマット
を示す説明図、図５は本発明に係る２層オーディオディスクの構造を示す説明図
である。なお、本明細書及び図面において「マルチチャネル」を「マルチｃｈ」
と表記することもある。
【００１０】
図１において、入力ステップＳ１では、既に既存ディスクとしてのＣＤ用にデ
ジタル化されているステレオ２チャネル、サンプリング周波数＝４４．１ｋＨｚ
、量子化ビット数＝１６ビットのＰＣＭのオーディオ信号Ａを取り込む。そして
、これを図５に示す２層オーディオディスク１００ｃの第１層（ＣＤ層）１０１
に記録するためにＣＤフォーマットにフォーマット化し（フォーマット化ステッ
プＳ７）、次いでＥＦＭ変調し（変調ステップＳ８）、次いでこの変調データに
基づいて原盤、マスタ、マザー、スタンパを経由して第１層１０１を製造する（
出力ステップＳ９）。
【００１１】
また、入力ステップＳ１において取り込んだ２チャネルＰＣＭオーディオ信号
Ａの量子化ビット数を１６ビットから２４ビットにハイビット化する（ハイビッ
ト化処理ステップＳ２）。このハイビット化された２チャネルＰＣＭオーディオ
信号Ａ−１のサンプリング周波数を４４．１ｋＨｚから４４．１ｋＨｚ×４にハ
イサンプリング化し（ハイサンプリング処理ステップＳ３）、次いでこのハイビ
ット化、ハイサンプリング化された２チャネルＰＣＭオーディオ信号Ａ−２を４
４．１ｋＨｚ×６４の２チャネルＤＳＤ信号Ｂ（２ｃｈ）に変換し（ＤＳＤ変換
処理ステップＳ６）、次いでこの２チャネルＤＳＤ信号Ｂ（２ｃｈ）を例えばＤ
ＶＤフォーマットにフォーマット化し（フォーマット化ステップＳ７）、次いで
ＥＦＭ＋変調する（変調ステップＳ８）。なお、このＤＳＤ信号Ｂは１ビットス
トリームとも言われている。
【００１２】
また、ハイビット化処理ステップＳ２においてハイビット化された２チャネル
ＰＣＭオーディオ信号Ａ−１を図２に詳しく示すようにマルチチャネルＰＣＭオ
ーディオ信号Ａ−３に変換する（マルチチャネル処理ステップＳ４）。マルチチ
ャネル処理ステップＳ４のマルチチャネル方式としては、次のような８通りの１
つが選択される。
【００１３】
第１のマルチｃｈ処理ステップＳ４−１では、例えば特開平２−５２０００号
公報に示されるように、このステレオ２チャネルＬ、Ｒをフロント左ＦＬ、フロ
ント右ＦＲ、センタＣ及びリアＲの合計４チャネルにマルチチャネル化する。こ
の場合、２チャネルＬ、Ｒを加算して加算信号Ｌ＋Ｒの低周波成分を抽出してセ
ンタチャネルＣを生成する。また、２チャネルＬ、Ｒの減算信号Ｒ−Ｌを位相変
換回路により位相変換して、チャネルＬ、Ｒに対してこの位相変換した信号をそ
れぞれ加算、減算してフロント左ＦＬ、フロント右ＦＲを生成する。また、２チ
ャネルＬ、Ｒを合成してリアＲを生成する。
【００１４】
第２のマルチｃｈ処理ステップＳ４−２では、ステレオ２チャネルＬ、Ｒをフ
ロント左ＦＬ、フロント右ＦＲ、センタＣ、リア左ＲＬ及びリア右ＲＲの５チャ
ネルにマルチチャネル化する。この場合、２チャネルＬ、Ｒの加算信号Ｌ＋Ｒの
高域成分を抑えて中及び低周波成分を強調してセンタＣを生成する。また、２チ
ャネルＬ、Ｒをそのままそれぞれフロント左ＦＬ、フロント右ＦＲとする。また
、２チャネルＬ、Ｒを合成した信号に対して残響と反射音を付加した後、左右に
パンニングして疑似ステレオ化することにより、それぞれリア左ＲＬ、リア右Ｒ
Ｒを生成する。
【００１５】
第３のマルチｃｈ処理ステップＳ４−３では、ステレオ２チャネルＬ、Ｒをフ
ロント左ＦＬ、フロント右ＦＲ、センタＣ、低音エフェクト（ＬＦＥ）、リア左
ＲＬ及びリア右ＲＲの６チャネル（通称５．１チャネル）にマルチチャネル化す
る。この場合、２チャネルＬ、Ｒの加算信号Ｌ＋Ｒの低及び高域成分を抑えて中
域成分を強調してセンタＣを生成する。また、２チャネルＬ、Ｒをそのままそれ
ぞれフロント左ＦＬ、フロント右ＦＲとする。また、加算信号Ｌ＋Ｒの低域成分
を抽出して低音エフェクト（ＬＦＥ）を生成する。また、２チャネルＬ、Ｒを合
成した信号に対して残響と反射音を付加した後、左右にパンニングして疑似ステ
レオ化することにより、それぞれリア左ＲＬ、リア右ＲＲを生成する。
【００１６】
第４のマルチｃｈ処理ステップＳ４−４では、ステレオ２チャネルＬ、Ｒを、
例えばフロント左ＦＬ、フロント右ＦＲ、低音エフェクト（ＬＦＥ）、リア左Ｒ
Ｌ及びリア右ＲＲの５チャネル（４．１チャネル）にマルチチャネル化する。こ
の場合、２チャネルＬ、Ｒの各々に残響と反射音を付加してそれぞれフロント左
ＦＬ、フロント右ＦＲを生成する。また、加算信号Ｌ＋Ｒの低域成分を抽出して
低音エフェクト（ＬＦＥ）を生成する。また、２チャネルＬ、Ｒを合成した信号
に対して残響と反射音を付加した後、左右にパンニングして疑似ステレオ化する
ことにより、それぞれリア左ＲＬ、リア右ＲＲを生成する。
【００１７】
第５のマルチｃｈ処理ステップＳ４−５では、第４のマルチｃｈ処理ステップ
Ｓ４−４と同様に、ステレオ２チャネルＬ、Ｒをフロント左ＦＬ、フロント右Ｆ
Ｒ、低音エフェクト（ＬＦＥ）、リア左ＲＬ及びリア右ＲＲの５チャネル（４．
１チャネル）にマルチチャネル化する。ただし、処理方法が異なり、２チャネル
Ｌ、Ｒをそのままそれぞれフロント左ＦＬ、フロント右ＦＲとする。また、加算
信号Ｌ＋Ｒの低域成分を抽出して更に低調波を付加して低音エフェクト（ＬＦＥ
）を生成する。また、２チャネルＬ、Ｒを合成した信号に対して異なる残響と反
射音を付加した後減衰し、無関係に疑似ステレオ化することにより、それぞれリ
ア左ＲＬ、リア右ＲＲを生成する。
【００１８】
第６のマルチｃｈ処理ステップＳ４−６では、第３のマルチｃｈ処理ステップ
Ｓ４−３と同様に、ステレオ２チャネルＬ、Ｒをフロント左ＦＬ、フロント右Ｆ
Ｒ、センタＣ、低音エフェクト（ＬＦＥ）、リア左ＲＬ及びリア右ＲＲの６チャ
ネル（５．１チャネル）にマルチチャネル化する。ただし、車載用として用いる
ために、例えば特開平１０−１３９９９号公報に示されるように２チャネルＬ、
Ｒの加算信号Ｌ＋Ｒの低域成分を抑えてセンタＣを生成する。また、２チャネル
Ｌ、Ｒをそのままそれぞれフロント左ＦＬ、フロント右ＦＲとする。また、加算
信号Ｌ＋Ｒの低域成分を抽出して低音エフェクト（ＬＦＥ）を生成する。また、
２チャネルＬ、Ｒに対してリア処理を行ってそれぞれリア左ＲＬ、リア右ＲＲを
生成する。
【００１９】
第７のマルチｃｈ処理ステップＳ４−７では、例えば特開平９−２８９７００
号公報に示されるように、ステレオ２チャネルＬ、Ｒをフロント左ＦＬ、フロン
ト右ＦＲ、センタＣ、リア左ＲＬ及びリア右ＲＲの少なくとも５チャネルにマル
チチャネル化する。上記公報に示される方法は、５チャネルの原信号を２チャネ
ルにエンコードし、この２チャネルを５チャネルに戻すためである。第６のマル
チｃｈ処理との主な相違点は、２チャネルＬ、Ｒを操作してフロント左ＦＬ、フ
ロント右ＦＲを生成することにある。
【００２０】
第８のマルチｃｈ処理ステップＳ４−８としては、サラウンド効果を得るため
に、図３に示すように２チャネルＬ、ＲをホールＨなどにおいてスタジオモニタ
スピーカＳＰＫ−Ｌ、ＳＰＫ−Ｒにより再生する。そして、第１のマルチチャネ
ル化方法として、再生音をセンタＭＩＣ−Ｃ、リア左ＭＩＣ−ＲＬ及びリア右Ｍ
ＩＣ−ＲＲの３チャネルのマイクロホンにより録音してこの３チャネルと２チャ
ネルＬ、Ｒにより５チャネル化する。また、第２のマルチチャネル化方法として
、再生音をフロント左ＭＩＣ−ＦＬ、フロント右ＭＩＣ−ＦＲ、センタＭＩＣ−
Ｃ、リア左ＭＩＣ−ＲＬ及びリア右ＭＩＣ−ＲＲの５チャネルのマイクロホンに
より録音して５チャネル化する。この場合、２チャネルＬ、Ｒの低域成分を抽出
（図のＬＰＦ）して低音エフェクトを生成し、合計６チャネル（５．１チャネル
）としてもよい。そして、第１〜第８のマルチｃｈ処理ステップＳ４−１〜Ｓ４
−８によりマルチチャネル化されたＰＣＭオーディオ信号の１つを選択する（選
択ステップＳ４１）。
【００２１】
図１に戻り、このマルチチャネルＰＣＭオーディオ信号Ａ−３のサンプリング
周波数を４４．１ｋＨｚから４４．１ｋＨｚ×２にハイサンプリング化し（ハイ
サンプリング処理ステップＳ５）、次いでこのハイビット化、ハイサンプリング
化されたマルチチャネルＰＣＭオーディオ信号Ａ−４を４４．１ｋＨｚ×４８の
マルチチャネルＤＳＤ信号Ｂ（例えば６ｃｈ）に変換し（ＤＳＤ変換処理ステッ
プＳ６）、次いでこのマルチチャネルＤＳＤ信号Ｂ（６ｃｈ）を例えばＤＶＤフ
ォーマットにフォーマット化し（フォーマット化ステップＳ７）、次いでこのマ
ルチチャネルＤＳＤ信号Ｂ（６ｃｈ）をＥＦＭ＋変調する（変調ステップＳ８）
。
【００２２】
そして、２チャネルＤＳＤ信号Ｂ（２ｃｈ）とマルチチャネルＤＳＤ信号Ｂ（
６ｃｈ）の両方に基づいて原盤、マスタ、マザー、スタンパを経由して第２層１
０２を製造し、これを第１層１０１と貼り合わせて図５に示すような２層オーデ
ィオディスク１００ｃを作成する（出力ステップＳ９）。
【００２３】
図４は第２層１０２のフォーマットを示し、情報エリアは、内周側から外周側
に向かってリードインエリアと、データエリアとリードアウトエリアにより構成
される。また、データエリアはファイルシステムと、マスタＴＯＣと、１ビット
ストリームＢ（２ｃｈ）の２チャネルステレオエリアと、１ビットストリームＢ
（６ｃｈ）のマルチチャネルエリアと、エクストラデータにより構成される。ま
た、２チャネルステレオエリアはエリアＴＯＣ１と、２チャネルステレオオーデ
ィオトラックとエリアＴＯＣ２により構成され、マルチチャネルエリアはエリア
ＴＯＣ１と、マルチチャネルオーディオトラックとエリアＴＯＣ２により構成さ
れる。
【００２４】
したがって、本発明によれば、請求項１から４に記載された発明の他に次のよ
うな発明が提供される。
ＣＤなどの既存ディスク用に既にデジタル化されているステレオ２チャネルの
ＰＣＭ信号をハイビット化するステップＳ２と、
前記ハイビット化されたステレオ２チャネルのＰＣＭ信号をハイサンプリング
するステップＳ３と、
前記ハイビット化及びハイサンプリングされたステレオ２チャネルのＰＣＭ信
号を第１の１ビットストリームに変換するステップＳ６と、
前記ハイビット化されたステレオ２チャネルのＰＣＭ信号をマルチチャネル化
するステップＳ４と、
前記ハイビット化及びマルチチャネル化されたＰＣＭ信号をハイサンプリング
するステップＳ５と、
前記ハイビット化、マルチチャネル化及びハイサンプリングされたＰＣＭ信号
を第２の１ビットストリームに変換するステップＳ６と、
前記ステレオ２チャネルのＰＣＭ信号を２層オーディオディスクの第１層に記
録するとともに、前記第１、第２の１ビットストリームの両方を２層オーディオ
ディスクの第２層に記録するステップＳ９とを、
有する２層オーディオディスクへのデータ記録方法。
なお上記実施例では、ハイビット化処理してから、ハイサンプリング処理して
いるが、ハイビット化処理でハイサンプリング処理をあらかじめ行った場合には
ダウンサンプリングせずにマルチｃｈ処理を行え、ハイサンプリング処理が共用
化でき、構成が簡略化される。また、ハイビット化とハイサンプリング化の順序
（Ｓ２とＳ３、Ｓ５）は前後させてもよい。
【図面の簡単な説明】
【００２５】
【図１】本発明に係る２層オーディオディスクへのデータ記録方法の一実施形態を説明するためのフローチャートである。
【図２】図１のマルチチャネル処理ステップを詳しく示すフローチャートである。
【図３】図２のマルチチャネル処理ステップの一例を示す説明図である。
【図４】本発明に係る２層オーディオディスクの第２層のフォーマットを示す説明図である。
【図５】本発明に係る２層オーディオディスクの構造を示す説明図である。
【符号の説明】
【００２６】
１００ｃ  ２層オーディオディスク
１０１  第１層
１０２  第２層
Ｓ２  ハイビット化処理ステップ
Ｓ３，Ｓ５  ハイサンプリング処理ステップ
Ｓ４  マルチチャネル処理ステップ
【図１】
2004158192.tif 000003
【図２】
2004158192.tif 000004
【図３】
2004158192.tif 000005
【図４】
2004158192.tif 000006
【図５】
2004158192.tif 000007